(57)【要約】      （修正有）【課題】支柱の補強材により支柱の連結を安定なものとする衣服収納ハンガーを提供する。【解決手段】リング状の上枠とリング状の下枠６と、上枠と下枠６の間を接続する複数本の支柱８と、支柱８の中間に取り付けられた、切欠きリング状の補強材９、を有する。支柱８は、上側支柱８１と下側支柱８２に分割され、両支柱は先端同士の係合による結合が可能である。補強材９には内方に伸びる延長部９１が設けられ、この延長部９１に前記係合先端を挿通させる貫通孔９２が設けられている。【選択図】図２
0003162792.tif 000002
【実用新案登録請求の範囲】
【請求項１】
リング状の上枠（７）とリング状の下枠（６）と、前記上枠（７）と前記下枠（６）の間を接続する複数本の支柱（８）と、前記支柱（８）の中間に取り付けられた、切欠きリング状の補強材（９）、を有する衣服収納ハンガー（１）であって、
前記支柱（８）は、上側支柱（８１）と下側支柱（８２）に分割され、両支柱は先端同士の係合による結合が可能であり、
前記補強材（９）には内方又は外方に伸びる延長部（９１）が設けられ、この延長部（９１）に前記係合先端を挿通させる貫通孔（９２）が設けられている
ことを特徴とする衣服収納ハンガー。
【請求項２】
前記上側支柱（８１）と下側支柱（８２）の先端同士の係合が、一方の雄ねじ（８３）と他方の雌ねじの結合である請求項１記載の衣服収納ハンガー。
【請求項３】
前記上側支柱（８１）と下側支柱（８２）の先端同士の係合が、前記上下支柱の先端部相互の直径に大小を付けて、小直径の支柱先端を大直径の支柱先端に嵌め込むものである請求項１記載の衣服収納ハンガー。
【考案の詳細な説明】
【技術分野】
【０００１】
本考案は、多数の衣服を埃から防ぎつつ吊り下げて収納するハンガーに関し、特にその補強材部分を改良した考案に関する。
【背景技術】
【０００２】
現在、市販されているこの種のハンガーは、たとえば実用新案登録第３０１８１８１号により、公知のものである。この考案によれば、支持台の上にハンガー本体が回転自在に設けられている。ハンガー本体は、リング状の上枠と下枠が３本の支柱により接続されており、上下方向の中間に、切欠けリング状の補強材が取り付けられている。
【考案の概要】
【考案が解決しようとする課題】
【０００３】
衣服ハンガーは、上記従来技術に図示されているように、縦長円柱状の構造であり、全重量は数本の細長い支柱により支えられている。衣服の重量が軽いときには問題は少ないが、重量が増えるに従って、本来的に不安定となりやすい。
【０００４】
切欠けリング状の補強材が取り付けられてはいるが、次に説明するように強度に欠けたものであった。図４及び図５は、従来の補強材取付方法を示している。
【０００５】
支柱８は、補強材を挟み上下２本の支柱８１、８２を繋いで１本としたものである。このように支柱を分割した上で組み立てるのは、製造・梱包・搬送を容易にするためである。
【０００６】
図４及び図５に示すように、上側支柱８１と下側支柱８２の両先端はねじ接合されると共に、補強材９Ａ自体にも貫通孔９５が設けられている。この補強材の貫通孔９５を介して、ねじ８６で、上下支柱８１、８２が連結されている。断面が円形の補強材９Ａと上下支柱８１、８２の連結部には皿状のワッシャー９６を嵌めることにより、連結が不安定になるのを防いでいる。
【０００７】
このような接続は、組み立てが面倒であるばかりでなく、固定が不安定になりがちで、衣服を掛けるときにハンガーが揺れたり、移動するときに倒れたりする原因となっていた。
【０００８】
本考案は、衣服ハンガーの支柱の補強材を工夫することにより、衣服ハンガーを安定なものとすることを目的とする。
【課題を解決するための手段】
【０００９】
本考案は、リング状の上枠と下枠と、前記上枠と前記下枠の間を接続する複数本の支柱と、前記支柱の中間に取り付けられた切欠きリング状の補強材を有する衣服収納ハンガーであって、前記支柱は、上側支柱と下側支柱に分割され、両支柱は先端同士の係合による結合が可能であり、前記補強材には内方又は外方に伸びる延長部が設けられ、この延長部に前記係合先端を挿通させる貫通孔が設けられていることを特徴とする。  
【考案の効果】
【００１０】
本考案によれば、前記支柱が上側支柱と下側支柱に分割され、両支柱は先端同士の係合による結合が可能であるので、両者はしっかり結合される。また、前記補強材には内方又は外方に伸びる板状の延長部が設けられ、この延長部に前記係合先端を挿通させる貫通孔が設けられているので、この板状の延長部を介して上側支柱と下側支柱をしっかりと結合される。従来技術において、ワッシャーを嵌めるものの断面円形の補強材を介して、上側支柱と下側支柱を結合していたのと比べると、結合強度が遙かに向上した。
【００１１】
その結果、支柱の安定度が増し、衣服を掛けるときにハンガーが揺れたり、移動するときに倒れたりすることが少なくなった。
【図面の簡単な説明】
【００１２】
【図１】本考案の実施例に係るハンガーの全体斜視図である。
【図２】本考案の実施例に係るハンガーの分解斜視図である。
【図３】本考案の実施例に係るハンガー補強材を取り付けた状態の断面図である。
【図４】従来技術に係るハンガー補強材を取り付けた状態の一部分解斜視図である。
【図５】従来技術に係るハンガー補強材を取り付けた状態の断面図である。
【考案を実施するための形態】
【００１３】
好ましくは、前記上側支柱と下側支柱の先端同士の係合は、ねじ接合とする。そのほか、先端部相互の直径に大小を付けて、小直径の支柱先端を大直径の支柱先端に嵌め込むこともできる。
【実施例１】
【００１４】
以下、添付の図面に基づき、本考案の一実施例を説明する。
【００１５】
図１に示すように、本実施例の回転式ハンガー１は、ベース部分２とその上のハンガー本体３からなる。使用時には、ハンガー１全体は開閉可能なカーテン４で円柱状に締め切られて、衣服に埃が付着しないように密閉される。衣服の取り出すときには、カーテンを部分的に開放して行う。
【００１６】
図１に示すように、ベース部分２は、支持台５を有し、この支持台５の上に位置するハンガー本体３の下枠６を回転可能に支持している。
【００１７】
ハンガー本体３は、リング状の上枠７と下枠６が３本の支柱により接続されており、上下方向の中間に、切欠けリング状で、架橋材９３を有する補強材９が取り付けられている。
【００１８】
補強材９には、図１、図２に示すように、内方に向いた半円板状の延長部９１が取付けられており、この延長部９１には貫通孔９２が設けられている。図示しないが、延長部９１は補強材９の外方に向いたものであってもよい。
【００１９】
支柱８は、この補強材９を境界として、上下２本の支柱８１、８２を繋いで１本としたものである。接続は上下支柱８１、８２の先端をねじ接合することによる。下側支柱８２の先端に雄ねじ８３を設け、上側支柱８１に雌ねじを設けて、両者を接合する。雄ねじ、雌ねじの設定は逆でもよい。
【００２０】
支柱８は中空パイプ状のものであるので、図３に示すように、ねじ８３を取り付けるために充填部８４を嵌め込んで台を形成しておく必要がある。充填部８４は抜け落ちないように、支柱８にリング状の窪み８５を作ることにより押圧固定されている。上下支柱８１、８２の向かい合った充填部８４には浅い窪みがあり、そこにワッシャー８７が挿入されているので、結合が安定したものとなっている。
【００２１】
上下支柱８１、８２を接合させるときに、支柱８の雄ねじ８３を補強材９の貫通孔９２に挿通させることにより、図３に示すように、支柱８と延長部９１が強固に接合される。
【００２２】
本考案によれば、前記補強材９に内方に伸びる板状の延長部９１が設けられ、この延長部９１に前記係合先端を挿通させる貫通孔９２が設けられているので、この板状の延長部９１を介して上下支柱８１、８２がしっかりと結合される。従来技術において、ワッシャー９６を嵌めるものの断面円形の補強材９Ａを介して、上下支柱８１、８２を結合していたのと比べると、結合強度が遙かに向上した。
【符号の説明】
【００２３】
１     回転式ハンガー
２     ベース部分
３     ハンガー本体部分
４     カーテン
５     支持台
６     下枠
７     上枠
８     支柱
８１   上側支柱
８２   下側支柱
８３  ねじ
８４   充填部
９     補強材
９１   延長部
９２   貫通孔
９３   架橋材
９５   貫通孔
９６   ワッシャー
９Ａ   補強材
【先行技術文献】
【特許文献】
【００２４】
【特許文献１】実用新案登録第３０１８１８１号
【図１】
0003162792.tif 000003
【図２】
0003162792.tif 000004
【図３】
0003162792.tif 000005
【図４】
0003162792.tif 000006
【図５】
0003162792.tif 000007